【事件の表示】
　特願２０１７−　１１２６７「電子機器」拒絶査定不服審判事件〔平成２９年　６月　８日出願公開、特開２０１７−１０２９５２〕について、次のとおり審決する。
【結　論】
　本件審判の請求は、成り立たない。
【理　由】
１．手続の経緯
　本願は，平成２７年８月２４日に出願した特願２０１５−１６４５４８号（以下，「原出願」という。）の一部を平成２９年１月２５日に新たな特許出願としたものであって，同年１月３１日付けの拒絶理由通知に対して同年３月１日付けで意見書が提出されると共に手続補正がなされたが，同年３月２日付けで拒絶査定がなされ，これに対して同年４月５日に拒絶査定不服審判の請求がなされたものである。
２．本願発明
　本願の請求項１に係る発明（以下，「本願発明」という。）は，平成２９年３月１日付けの手続補正により補正された特許請求の範囲の請求項１に記載された事項により特定される次のとおりのものである。
　
「　【請求項１】
　ケースと，
　前記ケースの側面に配置された電源ボタンと，
　前記電源ボタンを触れる指の指紋を検出する検出部と
を備え，
　前記電源ボタンは，前記ケースから露出する，前記指が触れる露出面を有し，
　前記側面のうち，少なくとも前記露出面の周囲が，前記露出面の外縁よりも突出する，
電子機器。」
　
３．引用例
（１）引用例１
　原査定の拒絶理由で引用された，本願の原出願の出願前に頒布された刊行物である，特開２００２−１１２３４０号公報（平成１４年４月１２日出願公開。以下，「引用例１」という。）には，図面とともに，以下の事項が記載されている。（下線は当審において付したものである。）
Ａ　「【００２３】図１において，
この移動機の本人認証システム１１は，指紋を当接されて指紋を電気信号に変える指紋走査部１３とこの電気信号に変えられた指紋を指紋として認識する指紋認識部１４
から成る。
【００２４】移動機固有ＩＤ１７は，移動機に一意的に割り振られているＩＤ，例えばＳＩＭ(Subscriber Identity Module)番号やＭＩＮ(Mobile Identification Number)などであり，これは親局には予め知られている。
【００２５】親局１１には，移動機から送られてきた信号を受信する送受信部２１と，受信した信号をその移動機固有ＩＤで復号化する復号化部２２と，移動機で本人認証設定部１６で設定された使用目的と認証手段の関係に基づいて信号を送ってきた移動機が本人により使用されていることの認証処理を行う認証処理部２３と，具体的に指紋照合により本人を行う指紋照合認証処理部２４と，パスワードによる本人認証を行うパスワード認証処理部２５と，これらの認証手段により本人であることが確認された後，使用目的に沿った処理がなされる初期実行プロセス実行部２６が含まれている。
【００２６】
本発明の一実施形態における移動機１０の外観の例を図３に示す。この移動機は通常の携帯電話やＰＨＳなどであり
【００２７】
この移動機３０の，通常，使用者が手で保持する側面には，指紋ソーサ３３が設けられていて使用者の指紋の情報が取得される。これは移動機の入りスイッチと兼用（あるいは作動開始を意味するログオン）になっている。
【００２８】
この指紋ソーサ３３は図１の指紋走査部１３に該当する。指紋ソーサ３３は指先くらいの大きさの皿型の軽い凹面形状をしている。このように移動機３０の側面の通常使用者が把持する位置に設けられていると，目で指の位置を確認することなく指を当てることができ
【００２９】
即ち，図６に示すように，移動機における本人認証は，ステップＳ６１で指紋ソーサ３３に指を載せて押下すると，ステップＳ６２で移動機内の指紋認識部（図示せず）が稼動し，ステップＳ６３で本人であるかどうか確認され，本人であるとステップＳ６４でログオンし，ステップＳ６５で予め登録されている動作群の処理を行う。
【００３０】指紋ソーサ３３は，凹面の他，平面で感触の異なる材料により形成して，指先で指紋ソーサの位置がすぐ判別できるようにしてもよい。
（途中省略）
【００４３】
上記実施形態では，指紋ソーサに指を置き，軽く押すなどの何らかの操作を加えることによって，あるいはキャパシタセンサ，圧力センサ，などにより，指が載せられたことを検知することによって，指紋認識部が起動し指紋認識が発せられる。
Ｂ　「【図１】
」
Ｃ　「【図３】
」
Ｄ　「【図６】
」
　ここで，上記引用例１に記載されている事項について検討する。
ア　上記Ａの段落【００２７】の「この移動機３０の，通常，使用者が手で保持する側面には，指紋ソーサ３３が設けられていて使用者の指紋の情報が取得される。これは移動機の入りスイッチと兼用（あるいは作動開始を意味するログオン）になっている。」との記載，及び上記Ｃで引用した図３の記載から，
　“移動機の側面には，移動機の入りスイッチと兼用になっている指紋ソーサが設けられていること”，が読み取れ，
　また，上記Ａの段落【００２６】の「本発明の一実施形態における移動機１０の外観の例を図３に示す。この移動機は通常の携帯電話やＰＨＳなどであり」との記載から，
　“移動機は，携帯電話などである”ことが読み取れ，
　さらに，上記Ｃで引用した図３の記載から，
　“移動機”は，何らかの“ケース”に収納されたものであることが読み取れ，また，
　“移動機の側面”は，“移動機のケースの側面”ということができるから，
　以上を総合すると，引用例１には，
　“ケースと，前記ケースの側面に設けられた移動機の入りスイッチと兼用になっている指紋ソーサと，を備えた携帯電話などの移動機”
が記載されていると認められる。
イ　上記Ａの段落【００２８】の「指紋ソーサ３３は指先くらいの大きさの皿型の軽い凹面形状をしている。このように移動機３０の側面の通常使用者が把持する位置に設けられていると，目で指の位置を確認することなく指を当てることができ」との記載，及び上記Ｃで引用した図３の記載から，
　“指紋ソーサは，指先くらいの大きさの皿型の軽い凹面形状で，指を当てることができる”ことが読み取れる。
ウ　上記Ａの段落【００２３】の「この移動機の本人認証システム１１は，指紋を当接されて指紋を電気信号に変える指紋走査部１３とこの電気信号に変えられた指紋を指紋として認識する指紋認識部１４・・・から成る。」との記載，同じく上記Ａの段落【００２８】の「この指紋ソーサ３３は図１の指紋走査部１３に該当する。」との記載，同じく上記Ａの段落【００２９】の「移動機における本人認証は，ステップＳ６１で指紋ソーサ３３に指を載せて押下すると，ステップＳ６２で移動機内の指紋認識部（図示せず）が稼動し」との記載，同じく上記Ａの段落【００４３】の「上記実施形態では，指紋ソーサに指を置き，軽く押すなどの何らかの操作を加えることによって，あるいはキャパシタセンサ，圧力センサ，などにより，指が載せられたことを検知することによって，指紋認識部が起動し指紋認識が発せられる。」との記載，及び上記Ｂで引用した図１の記載から，
　“指紋ソーサは，指紋を当接されて指紋を電気信号に変えること”，また，“指紋ソーサに指を載せて押下すると，あるいは，指紋ソーサに指が載せられたことを検知すると，指紋認識部が起動すること”，さらに，“指紋認識部は，指紋ソーサによって電気信号に変えられた指紋を指紋として認識すること”が読み取れるから，
　引用例１には，
　“指紋ソーサは，指紋を当接されて指紋を電気信号に変えるものであり，指紋ソーサに指を載せて押下すると，あるいは，指紋ソーサに指が載せられたことを検知すると，指紋認識部が起動して，指紋ソーサによって電気信号に変えられた指紋を指紋として認識する”
ことが記載されていると認められる。
エ　上記Ａの段落【００２９】の「即ち，図６に示すように，移動機における本人認証は，ステップＳ６１で指紋ソーサ３３に指を載せて押下すると，ステップＳ６２で移動機内の指紋認識部（図示せず）が稼動し，ステップＳ６３で本人であるかどうか確認され，本人であるとステップＳ６４でログオンし，ステップＳ６５で予め登録されている動作群の処理を行う。」との記載，及び上記Ｄで引用した図６の記載から，
　“指紋ソーサに指を載せて押下すると，指紋認識部が稼動し，使用者が本人であると確認されるとログオンすること”が読み取れ，
　また，上記Ａの段落【００２７】の「これは移動機の入りスイッチと兼用（あるいは作動開始を意味するログオン）になっている。」との記載から，
　“ログオンは，作動開始を意味する”ことが読み取れるから，
　上記ウでの検討と合わせると，引用例１には，
　“指紋ソーサは，指紋を当接されて指紋を電気信号に変えるものであり，指紋ソーサに指を載せて押下すると，あるいは，指紋ソーサに指が載せられたことを検知すると，指紋認識部が起動して，指紋ソーサによって電気信号に変えられた指紋を指紋として認識し，使用者が本人であると確認されると作動開始する”
ことが記載されていると認められる。
　上記ア〜エの検討から，引用例１には，次のとおりの発明（以下，「引用発明」という。）が記載されていると認められる。
「ケースと，
　前記ケースの側面に設けられた移動機の入りスイッチと兼用になっている指紋ソーサと，を備えた携帯電話などの移動機であって，
　前記指紋ソーサは，指先くらいの大きさの皿型の軽い凹面形状で，指を当てることができ，
　前記指紋ソーサは，指紋を当接されて指紋を電気信号に変えるものであり，指紋ソーサに指を載せて押下すると，あるいは，指紋ソーサに指が載せられたことを検知すると，指紋認識部が起動して，指紋ソーサによって電気信号に変えられた指紋を指紋として認識し，使用者が本人であると確認されると作動開始する，
　携帯電話などの移動機。」
（２）引用例２
　原査定の拒絶理由で引用された，本願の原出願の出願前に頒布された刊行物である，特開２００７−１７９３４３号公報（平成１９年７月１２日出願公開。以下，「引用例２」という。）には，図面とともに，以下の事項が記載されている。（下線は当審において付したものである。）
Ｅ　「【００１９】
　以下，図１〜図７を参照して本発明の実施例を説明する。
　この実施例は，秘匿情報の出力を制限するセキュリティ機能付き情報処理装置として携帯電話装置に適用した場合を例示したもので，図１は，セキュリティ機能付き携帯電話装置の基本的な構成要素を示したブロック図である。
　
この携帯電話装置は，例えば，２つの筐体（上部筐体，下部筐体）が開閉可能に取り付けられた折り畳み自在なもので，通話機能，メール機能，インターネット接続機能などが備えられている。
（途中省略）
【００２３】
　
図２は，折り畳み式の装置本体を開いた状態を示した図であり，キー操作部１２には，指紋センサＦＳ付きの電源ボタンＰＷが設けられている。
　すなわち，
電源ボタンＰＷのキートップ部分には指紋センサＦＳが接着固定されており，電源ＯＮ操作時にその操作者の親指の指紋パターンを自動検出するようにしている。この場合，ＣＰＵ１は，入力された指紋パターンと予め記憶部２に登録されている正規ユーザの指紋パターンとを比較することによってユーザ認証（本人確認）を行い，本人（正規なユーザ）であれば，実情報（秘匿情報）のアクセスを許可し，この実情報を読み出してメイン表示部１０に表示出力させる。
Ｆ　「【図２】
」
（３）引用例３
　原査定の拒絶理由で引用された，本願の原出願の出願前に頒布された刊行物である，特開２０００−１６５３７８号公報（平成１２年６月１６日出願公開。以下，「引用例３」という。）には，図面とともに，以下の事項が記載されている。（下線は当審において付したものである。）
Ｇ　「【要約】
【課題】　簡単な操作で指紋認証を行ない，移動無線端末などのセキュリティを高める。
【解決手段】　
移動無線端末機の電源スイッチ１に指紋読取部２を設ける。電源スイッチ１を押すと指紋認証が行なわれ
Ｈ　「【００３０】（第１の実施の形態）本発明の第１の実施の形態は，
移動無線端末機の電源スイッチに指紋読取部を設け，複数の人の指紋を指紋登録部に登録し，指紋読取部で読み取った読取指紋データと指紋登録部の登録指紋データとを指紋認証部で比較し，指紋認証部の比較結果に基づいて使用者を認識する
Ｉ　「【図１】
」
（４）引用例４
　原査定の拒絶査定で引用された，本願の原出願の出願前に頒布された刊行物である，特開２００６−１３４１４４号公報（平成１８年５月２５日出願公開。以下，「引用例４」という。）には，図面とともに，以下の事項が記載されている。（下線は当審において付したものである。）
Ｊ　「【００１９】
　（カード本体）
　
図２は図１のＡ−Ａ’断面を示す図であってＩＣカードＫの構造を示す断面図である。
　図２に示すように，カード本体１０は，基材１３ａ，１３ｂと，ＦＰＣ（Flexible Print Circuit，可撓性基板）１４と，スペーサ部材１５と，ＩＣチップ１６と，保護フィルム１７ａ，１７ｂと，スイッチ部（スイッチ手段）１８とによって構成されている。
　ここで，基材１３ａ，１３ｂは，プラスチック等の可撓性を有する樹脂材料からなるものであり，互いに対向して配置されている。また，基材１３ａ，１３ｂは，その内側にＦＰＣ１４，スペーサ部材１５，及びＩＣチップ１６を備えており，これらを保護する機能を有している。また，基材１３ａ，１３ｂの各々の外側表面には，保護フィルム１７ａ，１７ｂが形成されており，基材１３ａ，１３ｂに傷がついたり，汚れが付着したりするのを防止している。更に，
基材１３ｂ及び保護フィルム１７ｂの各々には，指紋センサ１１に対応する位置に貫通孔１３ｃ，１７ｃが形成されており，これによりカード本体１０に開口部１０ａが形成され，指紋センサ１１を露出させている。
【００２０】
　また，ＦＰＣ１４は，ポリエチレンテレフタレート（ＰＥＴ），ポリエチレンナフタレート（ＰＥＮ），ポリイミド等の寸法安定性の優れたプラスチックフィルムからなる回路基板である。このようなプラスチックフィルムは，折り曲げ自在の特性，即ち，可撓性を有するフィルムであるため，立体的な配線や屈曲部への回路接続等を可能としている。また，ＦＰＣ１４には，その表面側に指紋センサ１１が形成されており，その裏面側にＣｕ等からなる低抵抗の金属配線１４ａ，１４ｂとＩＣチップ１６とが形成されている。ここで，当該指紋センサ１１は，不図示の金属配線を介してＩＣチップ１６に接続されている。また，当該金属配線１４ａ，１４ｂは，ＩＣチップ１６に接続されている。
【００２１】
　
図３及び図４に示すように，指紋センサ１１が形成されているＦＰＣ１４の裏面側（指紋センサの検出面の反対側）には，スイッチ部１８が形成されている。当該スイッチ部１８は，金属配線１４ａが延在して形成された第１電極１４ｃと，金属配線１４ｂが延在して形成された第２電極１４ｄと，基材１３ａ上に形成された金属端子（導通部材）１９とを有している。当該第１電極１４ｃ及び第２電極１４ｄは，ＦＰＣ１４の裏面側において非導通となっているが，金属端子１３ｂと平面的に重なって配置されているため，指紋センサ１１に指の押圧力が付与された場合には第１電極１４ｃ及び第２電極１４ｄが金属端子１９を介して導通するようになっている。
【００２２】
　また，図４に示すように，ＦＰＣ１４は指紋センサ１１の周囲に，伸縮自在な伸縮部１４ｅを有している。当該伸縮部１４ｅは，指紋センサ１１に指の押圧力が付与されていない場合には湾曲形状となっており，また，指紋センサ１１に指の押圧力が付与された場合にはＦＰＣ１４の撓み伴って，紙面左右方向に伸びるようになっている。
【００２３】
　また，スペーサ部材１５は，ＦＰＣ１４と基材１３ａとの間に配置された部材であり，ＦＰＣ１４の表面に凹凸状に形成されたＩＣチップ１６を埋設することで，基材１３ａとスペーサ部材１５との接触面に平坦化を施している。
　更に，スペーサ部材１５には，指紋センサ１１が形成されているＦＰＣ１４の裏面側に
，貫通孔１５ａが形成されている。従って，基材１３ａとＦＰＣ１４との間に空間１５ｂが形成されたものとなり，指紋センサ１１に指の押圧力が付与されると，ＦＰＣ１４が空間１５ｂ内において自在に撓むようになっている。
　また，スペーサ部材１５の材料としては，プラスチック等の可撓性を有する樹脂材料が適宜採用される。なお，スペーサ部材１５の材料として，基材１３ａ，１３ｂと同一材料を採用してもよい。また，上記のようにスペーサ部材１５と基材１３ａの各々は，別体となっているが，一体に形成されてもよい。
【００２４】
　次に，上記構成のカード本体１０の厚さについて説明する。
　各部の厚さは，基材１３ａ，１３ｂの各々が約１００μｍ程度，保護フィルム１７ａ，１７ｂの各々が約５０μｍ程度，ＦＰＣ１４とスペーサ部材１５とを重ね合わせた厚さが約４００〜５００μｍ程度となっている。従って，カード本体１０の合計の厚さは，７００μｍ〜８００μｍ程度となっており，当該厚さ寸法をＩＣカードの規格内に収めることが可能となっている。
【００２５】
　（指紋センサ）
　図５はＩＣカードＫにおける指紋センサの構成を示す模式図である。
　指紋センサ１１は，剥離転写技術（後述）によってＦＰＣ１４上に形成されたものであり，可撓性を有している。
　
図５に示すように，指紋センサ１１は，静電容量型，すなわち凹凸を有する指紋と検出面１１ａとの間の距離に応じて変化する静電容量を測定して，指紋データを検出するようになっている。
　指紋センサ１１は，ＦＰＣ１４上に設けられており，このＦＰＣ１４上には，所定の間隔を空けて互いに平行に形成された不図示の複数の走査線と，この走査線に対して直交するように所定の間隔を空けて互いに平行に形成された複数の信号線１１６とが設けられている。」
Ｋ　「【００３６】
　（スイッチ部の動作）
　次に，図４及び図７を参照して，スイッチ部の動作について説明する。
　図７はＩＣカードＫの要部を示す断面拡大図であって，利用者の指が指紋センサを押圧した状態を示す図である。
　
図７に示すように，ＩＣカードＫの利用者が指Ｆを指紋センサ１１に押し当てることで，指紋センサ１１に対して紙面下方向に押圧力が付与される。これにより，押圧力の方向に伴って指紋センサ１１及びＦＰＣ１４は撓み，これと同時に伸縮部１４ｅは紙面左右方向に伸長する。
図７のように指紋センサ１１は指Ｆによって押圧された状態となっているので，指紋センサ１１は検出面１１ａから指紋情報を検出し，当該検出された抽出指紋データは，第２演算処理部２２に入力される。
Ｌ　「【図１】
」
Ｍ　「【図２】
」
Ｎ　「【図５】
」
Ｏ　「【図７】
」
（５）参考文献１
　本願の原出願の出願前に頒布された刊行物である，特開２００５−１１５５１３号公報（平成１７年４月２８日出願公開。以下，「参考文献１」という。）には，図面とともに，以下の事項が記載されている。（下線は当審において付したものである。）
Ｐ　「【００３２】
　また，
本発明の第２の実施の形態の指紋検出装置２１は，図３に示すように，下部壁２２ａと周壁２２ｂと上部壁２２ｃとを有するケース２２が配設され，このケース２は，内部に空洞部２３が形成されている。
　
前記上部壁２２ｃには，開口部２２ｄが形成されている。また，空洞部２３には，横長状のセンサホルダ２４が配設され，このセンサホルダ２４の下面の横長方向には，球面状の第１凸部２４ａと第２凸部２４ｂとが突出形成されている。
【００３３】
　また，
センサホルダ２４の上面には，指紋センサ２５が取り付けれれ，指紋センサ２５の上面のセンサ面２５ａが，開口部２２ｄに位置している。
　また，センサ面２５ａには，第１の実施の形態と同様に，位置決め部（図示せず）およびセンタマーク（図示せず）が設けられている。
【００３４】
　また，センサホルダ２４の第２凸部２４ｂの下部には，第２可動接点２６と第１固定接点２７とからなる第１スイッチ機構２８が配設されている。前記第１可動接点２６は，第１固定接点２７と所定の間隔を有して互いに絶縁されて下部壁２２ａに配設された一対の端子部２９，２９に，外周端部が常時接して配設されている。
　また，センサホルダ２４の第２凸部２４ｂの下部には，第２可動接点３０と第２固定接点３１とからなる第２スイッチ機構３２が配設されている。
【００３５】
　前記第２可動接点３０は，第２固定接点３１と所定の間隔を有して互いに絶縁されて下部壁２２ａに配設された一対の端子部３３，３３に，外周端部が常時接して配設されている。
　即ち，
第１，第２スイッチ機構２８，３２は，指紋センサ２５の下部において指紋センサ２５に載置した指の長手方向に沿って複数個配設されている。
　また，
第１，第２可動接点２６，３０は，第１の実施の形態の可動接点６と同様に，反転板バネからなり，それぞれドーム状に形成されてクリック発生手段が構成されている。
　そして，第１，第２可動接点２６，３０は，ドーム状の頂部が押動されて反転することにより，クリック感が生起されるようになっている。
【００３６】
　このような第２の実施の形態の指紋検出センサ２１の操作を説明すると，
図３に示すように，初期状態における指紋センサ２５は，第１，第２可動接点２６，３０の頂部に，センサホルダ２４の第１，第２凸部２４ａ，２４ｂが当接して上昇位置にある。
　
そして，上昇位置にある指紋センサ２５のセンサ面２５ａに載置した指で，指紋センサ２５を下方に押動すると，図４に示すように，センサホルダ２４の第１，第２凸部２４ａ２４ｂが，第１，第２可動接点２６，３０の頂部を押動する。
　
このことにより，反転した第１，第２可動接点２６，３０が，第１，第２固定接点２７，３１に電気的に接触してスイッチング動作が行われる。
【００３７】
　前記スイッチング動作に連動して，同時に第１，第２可動接点２６，３０に形成したドーム状のクリック発生手段によってクリック感が生起される。
　
そして，前記スイッチング動作で，第１スイッチ機構２８は，一対の端子部２９と第１固定接点２７との間のスイッチ回路が切り換わってＯＮする。
　
前記第１スイッチ機構２８のスイッチング動作と同時，あるいは若干前後して，第２スイッチ機構３２も，一対の端子部３３と第１固定接点３１との間のスイッチ回路が切り換わってＯＮする。
【００３８】
　
そして，第１，第２スイッチ機構２８，３２の両方がＯＮすると，制御部（図示せず）によって指紋検出の開始が指示されて，指の指紋に対応して発生する静電容量を制御部が検知して指紋が検出される。
　即ち，本発明の第２の実施の形態では，第１，第２スイッチ機構２８，３２の全てが，スイッチング動作が行われてＯＮしたときに指紋検出が開始されるようになっている。
　
その後，指紋センサ２５を押し下げていた指を指紋センサ２５から取り去ると，第１，第２可動接点２６，３０は，ドーム状に自動復帰する。
　
このことにより，センサホルダ２４が押し上げられて，指紋センサ２５が図３に示す初期状態に自動復帰する。同時に，第１，第２スイッチ機構２８，３２がＯＦＦとなる。
Ｑ　「図３
」
Ｒ　「図４
」
（６）参考文献２
　本願の原出願の出願前に頒布された刊行物である，実願昭６０−３５３９６号（実開昭６１−１５３２３８号）のマイクロフィルム（昭和６１年９月２２日出願公開。以下，「参考文献２」という。）には，図面とともに，以下の事項が記載されている。（下線は当審において付したものである。）
Ｓ　「
本考案は，キーをそのまわりの少なくとも一部分よりもへこませて配置する構成を提案する。
　以下，本考案の実施例を図面に従って説明する。
　第１図は機器の一例として複写機を示し，この複写機の上部にはコタクトガラス１が固設され，その上に原稿２が載置され，これを圧板３によって押えてコピーをとることができる。コンタクトガラス１の手前には操作部４が設けられ，ここに多数のキー入力装置が配設されている。
　
各キー入力装置は第２図および第３図に示す如くプリント板５上に設けられたスイッチ６，このスイッチをオン，オフするキー７を有し，各キー７はキー支持板８により支えられ，支持板８の上面は操作部カバー９によって覆われている。各キー７はオペレータによってその上面７ａを押下され，これによリスイッチ６が作動され，複写機が制御される。
　
第２図および第３図から明らかなように，各キー７はその上面７ａが操作部カバー９の上面９ａよりもへこんだ状態で配置され，両上面間には段差Ａが存在する。
　
上述の如く各キー７はそのまわりのカバー上面よりもへこんで位置しているため，オペレータが複写機を操作しているとき，その身体の一部が操作部４に触れたとしても，カバー９の上面９ａに触れるものの，これよりも凹入したキー７を押下させるような大きな力で該キー７に触れることは通常あリ得ない。
　その反面，操作しようとするキーに対しては，凹入したキーの上面７ａにオペレータが指を入れることができるため，これを支障なく操作することができ，キーをへこませて配置したことによリ操作性が低下することはない。」（第３頁６行〜第５頁５行）
Ｔ　「第２図
」
Ｕ　「第３図
」
（７）参考文献３
　本願の原出願の出願前に頒布された刊行物である，実願平３−６９２１８号（実開平５−１５２４７号）のＣＤ−ＲＯＭ（平成５年２月２６日出願公開。以下，「参考文献３」という。）には，図面とともに，以下の事項が記載されている。（下線は当審において付したものである。）
Ｖ　「　　　【０００６】
　　【実施例】
　以下，図１を参照して本考案の詳細について説明する。
　図１は本考案の一実施例を示す断面図であり，図２と同一部分は同記号を用いている。　図１において，ラバー製スイッチ・シート３の押ボタン部５上には，底部８を押ボタン部５の外径と略同形に形成すると共に頂部９を底部８よりも小径に形成した凸型のアクリル樹脂製のアクチュエータ１０が載置される。
１１は入出力端末機の外装カバーであってＡＢＳ樹脂等を割型にモールドしたものであり，このカバー１１の電源スイッチ５に対向する位置にアクチュエータ１０の頂部９が嵌合する穴１２が設けられている。アクチュエータ１０の頂部９はカバー１１の表面よりも幾分低く構成することによって，不用意なスイッチ操作を防止している。
Ｗ　「【図１】
」
４．対比
　本願発明と，引用発明とを比較する。
　
ア　引用発明の「携帯電話などの移動機」は，“電子的”に動作する“電子機器”と言いうるものであるから，引用発明の「移動機」が本願発明の「電子機器」に相当する。
　
イ　引用発明の「ケース」が本願発明の「ケース」に相当する。
ウ　引用発明の「指紋ソーサ」は，「前記ケースの側面に設けられた」ものであるから，本願発明の「電源ボタン」とは，共に，「前記ケースの側面に配置された」ものである点で共通する。
　引用発明の「指紋ソーサ」は，「移動機の入りスイッチと兼用になっている」ものであり，「指を載せて押下する」ことで「入りスイッチ」を操作するための“ボタン”であるといえるから，本願発明の「電源ボタン」とは，共にスイッチを操作するための“ボタン”である点で共通する。
　してみれば，引用発明の「前記ケースの側面に設けられた移動機の入りスイッチと兼用になっている指紋ソーサ」と本願発明の「前記ケースの側面に配置された電源ボタン」とは，「前記ケースの側面に配置されたボタン」である点で共通する。
エ　引用発明の「指紋ソーサ」は，「指紋を当接されて指紋を電気信号に変える」ものであるところ，ここで，指紋ソーサによって電気信号に変えられる指紋は，「指紋ソーサに載せて指紋ソーサを押下する指」，あるいは，単に，「指紋ソーサに載せられた指」の指紋であり，いずれの指も，「指紋ソーサ」を“触れる指”であるということができる。
　一方，本願明細書の段落【００５５】には，「その後，ステップｓ４において，制御部１００は，指紋センサ１４０で指紋が検出されているか否かを判定する。言い換えれば，制御部１００は，電源ボタン３ａに指が触れているか否かを判定する。このとき，電源ボタン３ａは，ユーザの指で触れられていれば良く，ユーザの指で押されていても良いし，ユーザの指で押されていなくても良い。」と記載されていて，この記載からも，電源ボタンに指が“触れている”とは，電源ボタンが“ユーザの指で押されていても良いし，ユーザの指で押されていなくても良い”と解されることから，
　上記ウで検討したこととあわせると，引用発明の「指紋ソーサ」に“触れる指”は，「ボタンを触れる指」である点で，本願発明の「電源ボタンを触れる指」と共通する。
オ　引用発明の「指紋を当接されて指紋を電気信号に変える」「指紋ソーサ」（前者）と，本願発明の「前記電源ボタンを触れる指の指紋を検出する検出部」（後者）とを対比すると，
　前者の「指紋ソーサ」が「電気信号に変える」「指紋」は，上記エの検討から，「指紋ソーサ」を“触れる”「指」の「指紋」であるから，上記ウでの検討をあわせると，「ボタンを触れる指の指紋」である点で，後者の「前記電源ボタンを触れる指の指紋」と共通し，
　前者の「指紋を電気信号に変える」ことは，「指紋を」“検出する”ことに他ならないから，
　前者と後者とは，
「前記ボタンを触れる指の指紋を検出する検出部」
　である点で，共通する。
カ　引用発明の「指紋ソーサ」は，「指先くらいの大きさの皿型の軽い凹面形状で，指を当てることができ」るものであり，また，「指を載せて押下する」ものであるから，「指が触れる露出面を有し」ているということができ，また，当該「露出面」は，「ケースから露出する」ものであるといえる。
　してみれば，引用発明の「指紋ソーサ」と本願発明の「電源ボタン」とは，「前記ケースから露出する，前記指が触れる露出面を有し」ている点で共通する。
　
　以上の検討から，本願発明と引用発明とは，
　
「ケースと，
　前記ケースの側面に配置されたボタンと，
　前記ボタンを触れる指の指紋を検出する検出部と
を備え，
　前記ボタンは，前記ケースから露出する，前記指が触れる露出面を有している
　電子機器。」
　
の点で一致し，以下の点で相違する。
　
［相違点１］
　ケースの側面に配置されたボタンが，
　本願発明では，「電源ボタン」であるのに対して，引用発明の指紋ソーサ（ボタン）は，電源ボタンであるとの特定はなされていない点。
［相違点２］
　本願発明では，「（ケースの）側面のうち，少なくとも（ボタンの）露出面の周囲が，前記露出面の外縁よりも突出する」ようになっているのに対して，
　引用発明では，そのようになっていない点。
５．判断　
　上記各相違点について，検討する。
［相違点１］について
　本願明細書には，以下（ア）〜（キ）のような記載がある。
（ア）「操作ボタン３ａは，例えば電源ボタンである。電源ボタンは，電子機器１において，一部の機能を停止したり，停止している機能を復帰（起動）したりするための操作ボタンである。」（段落【００１５】）
（イ）「また，通常モードにおいて，電源ボタン３ａが操作されたとき，通常モードからスリープモードに遷移する。」（段落【００３７】）
（ウ）「一方で，スリープモードにおいて，電源ボタン３ａが操作されたとき，スリープモードから通常モードに遷移する。つまり，スリープモードにおいて，電源ボタン３ａが操作されたとき，電子機器１では，スリープモードに遷移するときに停止された機能が復帰する。・・・」（段落【００３８】）
（エ）「スリープモードにおいて，電源ボタン３ａが操作されたときと，ホームボタン３ｄが操作されたとき，スリープモードが解除されて，電子機器１の動作モードはロックモードとなり，表示領域２０にロック画面３５０が表示される。」（段落【００４３】）
（オ）「このように，電子機器１では，ロックモードのときにユーザ認証が行われることから，正規のユーザは，ロック画面３５０が表示されているときに，電源ボタン３ａを，それがオン状態とならないように指で触ることによって，電子機器１にロックモードを解除させることができる。」（段落【００４８】）
（カ）「指紋登録モードにおいて，正規のユーザが自身の手の指を電源ボタン３ａ上に置くと，指紋センサ１４０は当該指の指紋を検出し，検出指紋を示す指紋画像を出力する。」（段落【００４９】）
（キ）「したがって，正規のユーザは，右手で持つ電子機器１の電源ボタン３ａを右手親指で触ることによって，電子機器１にロックモードを解除させることができる。また，正規のユーザは，左手で持つ電子機器１の電源ボタン３ａを左手人差し指で触ることによって，電子機器１にロックモードを解除させることができる。」（段落【００５１】）
　上記（ア）〜（キ）の記載からすると，本願発明の「電源ボタン」とは，電子機器において，一部の機能を停止したり，停止している機能を復帰（起動）したりするための操作ボタンであり，例えば，電子機器を，通常モードからスリープモードに遷移させたり，スリープモードから通常モードに遷移させたりする機能を有し，また，電源ボタン上に置かれた指の指紋を検出する機能も有しているものであると認められる。
　一方，引用発明の「入りスイッチ」は，これと兼用になっている指紋ソーサに指を載せたり押下したりすると，その指の指紋を認識する機能を有していることに加えて，使用者が本人であると確認されると，移動機の作動を開始させるという機能，すなわち，本願明細書でいうところの「停止している機能を復帰（起動）する機能」と同様の機能も有しており，結局のところ，引用発明の「入りスイッチを押すための指紋ソーサ」と本願発明の「電源ボタン」とは，それが有している機能の点で，何ら変わるところがない。
　してみれば，相違点１は，実質的な相違点とはいえない。
　なお，仮に，本願発明の「電源ボタン」が上記の「停止している機能を復帰（起動）する機能」を有していないボタンを特定するとしても，例えば，引用例２（上記Ｅ，Ｆを参照）には，携帯電話装置において，電源ボタンによる電源ＯＮ操作に応答して，電源ボタンに付いている指紋センサによって指紋パターンを取得してユーザ認証することが記載され，また，引用例３（上記Ｇ〜Ｉを参照）には，移動無線端末機において，電源スイッチに指紋読取部を設け，電源スイッチを押すと指紋認証を行うことが記載されているように，携帯電話等の移動機に設けられ，指紋検出を行うボタンを電源ボタンとすることは，本願の原出願の出願前に，指紋の検出及び認証を行う移動機の技術分野において既に周知技術であったと認められる。
　そして，引用発明は，携帯電話などの移動機において，「指紋ソーサに指を載せて押下すると，あるいは，指紋ソーサに指が載せられたことを検知すると，指紋認識部が起動して，指紋ソーサによって電気信号に変えられた指紋を指紋として認識し，使用者が本人であると確認されると作動開始する」ものであり，指紋の検出及び認証を行う移動機である点で，上記周知技術と共通の技術分野に属するものであるから，当該技術分野に属する引用発明において，上記周知技術を考慮して，移動機に設けられ，指紋検出を行うボタンである指紋ソーサを電源ボタンとすること，すなわち，上記相違点１に係る構成とすることは，当業者が容易に想到し得たことである。
［相違点２］について
　操作面に指紋読み取り部を設けたボタンにおいて，操作面全体をケース面より低くする構成，すなわち，ケース面のうち，ボタンの露出面の周囲が前記露出面の外縁よりも突出する構成（以下，「露出面埋没構成」という。）とすることは，例えば，引用例４（上記Ｊ〜Ｏの記載を参照），或いは参考文献１（上記Ｐ〜Ｒの記載を参照）に記載されているように，本願の原出願の出願前に当該技術分野において周知技術であったものと認められ，また，ボタンを“露出面埋没構成”とすることも，例えば参考文献２（上記Ｓ〜Ｕの記載を参照）や参考文献３（上記Ｖ，Ｗの記載を参照）にみられるように，本願の原出願の出願前に，ボタン構成のバリエーションとして普通に採用されていたものと認められることから，露出面とケース面との関係をどのように構成するかは，操作性等を考慮して当業者が必要に応じて適宜決定しうる設計的事項であるものと認められる。
　加えて，上記Ａで引用した引用例１の段落【００３０】には，「指紋ソーサ３３は，凹面の他，平面で感触の異なる材料により形成して，指先で指紋ソーサの位置がすぐ判別できるようにしてもよい。」と記載されており，指紋ソーサの構成を適宜変更してもよいことが示唆されている。
　さらに，上記相違点２に係る構成とすることにより得られる，「露出面を外縁まで含めてより確実に保護する」という効果は，意見書及び審判請求書においては主張されているものの，当初明細書の発明の詳細な説明には記載されていないことからみても，当該効果が，上記相違点２に係る構成から得られる本願発明が奏する格別顕著な効果であるとは認められない。
　してみれば，引用発明において，上記周知技術を採用し，指紋ソーサを，“露出面埋没構成”とすること，すなわち，上記相違点２に係る構成とすることは，当業者が容易に想到し得たことである。
　そして，上記各相違点を総合的に勘案しても，本願発明の奏する作用効果は，引用発明及び周知技術から予測される範囲内のものにすぎず，格別顕著なものということはできない。
　したがって，本願発明は，引用発明及び周知技術に基づいて，当業者が容易に発明をすることができたものである。
６．むすび　
　以上のとおり，本願発明は，引用発明及び周知技術に基づいて，当業者が容易に発明をすることができたものであるから，特許法第２９条第２項の規定により特許を受けることができない。
　したがって，本願は拒絶されるべきものである。
　よって，結論のとおり審決する。